【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
移動可能な第１のノードと、
前記第１のノードが属する網であるホーム網に配置され、前記第１のノードと送受信をする通信パケットについてカプセル化及びデカプセル化を含む通信処理を行うホームエージェントと、
前記第１のノードと通信する第２のノードと、
前記第２のノードに対して配置され、前記第２のノードと送受信をする通信パケットについてカプセル化及びデカプセル化を含む通信処理を行うホームエージェント代行装置と
を備え、
前記第１のノードが前記ホームエージェントを介して前記第２のノードと通信中である場合に、前記ホーム網と接続される他の網へ移動した際、前記移動後の他の網において、
前記第１のノードは、前記ホームエージェント代行装置を探索するための信号を作成して送信し、該信号に応じた前記ホームエージェント代行装置のアドレスを含む応答を受信することで前記ホームエージェント代行装置のアドレスを取得する、探索処理を実行し、
前記第１のノードは、前記取得された前記ホームエージェント代行装置のアドレスに従い、前記ホームエージェントを経由せずに、前記ホームエージェント代行装置を経由して、前記第２のノードと通信するモバイルネットワークシステム。
【請求項２】
請求項１に記載のモバイルネットワークシステムにおいて、
前記探索処理は、
前記第１のノードが、上位ビットに、前記第２のノードへの通信パケットの送信先アドレスから対応する上位ビットを用い、下位ビットに、ホームエージェント用に予め定められているエニキャストアドレスを用いてアドレスを作成して、該アドレスを宛先とするホームエージェント探索用リクエストを送信することと、
前記ホームエージェント代行装置が、前記ホームエージェント探索用リクエストを受信すると、少なくとも自ホームエージェント代行装置のアドレスを含むホームエージェント探索用リプライを前記第１のノードに返信することと、
前記第１のノードが、前記ホームエージェント探索用リプライを受信して、該リプライ内の前記ホームエージェント代行装置のアドレスを取得することと含む前記モバイルネットワークシステム。
【請求項３】
請求項１に記載のモバイルネットワークシステムにおいて、
前記ホームエージェントは、
前記第２のノードのアドレス又はプレフィクスと、前記ホームエージェント代行装置のアドレスとを対応付けて記憶するホームエージェント代行装置管理テーブルを有し、
前記探索処理は、
前記第１のノードが、前記第２のノードのアドレス又はプレフィクスを含む問い合わせ信号を前記ホームエージェントに送信することと、
前記ホームエージェントが、問い合わせ信号に応じて、前記ホームエージェント代行装置管理テーブルを参照して、該信号に含まれる前記第２のノードのアドレス又はプレフィクスに対応する前記ホームエージェント代行装置のアドレスを取得し、取得された前記ホームエージェント代行装置のアドレスを含む応答信号を前記第１のノードに返信することと、
前記第１のノードが、該応答信号を受信して、該応答信号に含まれる前記ホームエージェント代行装置のアドレスを取得することとを含む前記モバイルネットワークシステム。
【請求項４】
請求項３に記載のモバイルネットワークシステムにおいて、
前記ホームエージェント代行装置管理テーブルに記憶される前記第２のノードのアドレス又はプレフィクスと、前記ホームエージェント代行装置のアドレスは、前記ホームエージェント代行装置から前記ホームエージェントに送信される前記モバイルネットワークシステム。
【請求項５】
請求項１に記載のモバイルネットワークシステムにおいて、
前記第２のノードは、
自ノードに応じた前記ホームエージェント代行装置のアドレスを記憶する代行装置管理テーブルを有し、
前記探索処理は、
前記第１のノードが、前記ホームエージェント代行装置を探索するための問い合わせ信号を前記第２のノードに送信することと、
前記第２のノードが、前記問い合わせ信号に応じて、前記代行装置管理テーブルに記憶された前記ホームエージェント代行装置のアドレスを含む応答信号を前記第１のノードに返信することと、
前記第１のノードが、前記応答信号を受信して、該応答信号に含まれる前記ホームエージェント代行装置のアドレスを取得することとを含む前記モバイルネットワークシステム。
【請求項６】
請求項１に記載のモバイルネットワークシステムにおいて、
前記第２のノードのアドレス又はプレフィクスと、前記ホームエージェント代行装置のアドレスとを対応付けて記憶するアドレス管理サーバをさらに備え、
前記探索処理は、
前記第１のノードが、前記第２のノードのアドレス又はプレフィクスを含む問い合わせ信号を前記アドレス管理サーバに送信することと、
前記アドレス管理サーバが、前記問い合わせ信号に応じて、該信号に含まれる前記第２のノードのアドレス又はプレフィクスに対応する前記ホームエージェント代行装置のアドレスを含む応答信号を、前記第１のノードに返信することと、
前記第１のノードが、前記応答信号を受信して、該応答信号に含まれる前記ホームエージェント代行装置のアドレスを取得することとを含む前記モバイルネットワークシステム。
【請求項７】
請求項１に記載のモバイルネットワークシステムにおいて、
前記探索処理は、
前記第２のノードから前記第１のノードへ、又は、前記第１のノードから前記第２のノードへ、少なくとも前記ホームエージェント代行装置が自アドレスを付加して転送するためのオプションヘッダが付加されたホームエージェント代行装置探索のための探索パケットを送信することと、
前記ホームエージェント代行装置が、オプションヘッダが付加された該探索パケットに、自アドレスを付加して転送することと、
前記第１のノードが、前記ホームエージェント代行装置のアドレスが付加された前記第２のノードからの探索パケットを受信して、又は、探索パケットを受信した前記第２のノードから該探索パケット内の前記ホームエージェント代行装置のアドレスを受信して、前記ホームエージェント代行装置のアドレスを取得することとを含む前記モバイルネットワークシステム。
【請求項８】
請求項２に記載のモバイルネットワークシステムにおいて、
前記ホームエージェント代行装置は、前記第２のノードの網内に複数配置され、
それぞれの前記ホームエージェント代行装置は、同じ網に属する他のホームエージェント代行装置のアドレスと、自らアドレスとを含むアドレスリストを有し、
複数の前記ホームエージェント代行装置のいずれかが、前記ホームエージェント探索用リクエストを受信すると、複数の前記ホームエージェント代行装置のいずれかは、該アドレスリストを含む前記ホームエージェント探索用リプライを返信し、
前記第１のノードは、前記ホームエージェント探索用リプライに含まれる複数の前記ホームエージェント代行装置のアドレスのひとつに従い、前記第２のノードと通信する前記モバイルネットワークシステム。
【請求項９】
請求項１に記載のモバイルネットワークシステムにおいて、
前記第１のノードは、
前記ホームエージェント代行装置のアドレスと、前記ホームエージェント代行装置に登録する、移動後の他の網の気付アドレスと、前記ホームエージェント代行装置と通信するためのトンネルインタフェースを識別するトンネルインタフェース識別子とが対応して記憶されるバインディングリストを有し、
前記第１のノードは、
前記ホームエージェント代行装置に登録するための気付アドレスを選択し、
前記トンネルインタフェースを作成するバインディングアップデート処理を行い、
前記ホームエージェント代行装置のアドレスと、該選択された気付アドレスと、該作成されたトンネルインタフェースのトンネルインタフェース識別子とを、前記バインディングリストに記憶する前記モバイルネットワークシステム。
【請求項１０】
請求項１に記載のモバイルネットワークシステムにおいて、
前記ホームエージェントを経由して、前記第１のノードと前記第２のノードが通信中である場合において、
前記ホームエージェントへの負荷が予め定められた量以上になった場合に、前記第１のノードは前記探索処理を実行して前記ホームエージェント代行装置のアドレスを取得し、前記ホームエージェントを経由する通信を、取得された前記ホームエージェント代行装置のアドレスに応じて前記ホームエージェント代行装置を経由する通信に切り替える前記モバイルネットワークシステム。